(57)【要約】      （修正有）【課題】ロール紙にロール紙情報を保持させずに、オペレーターによる印刷設定情報の入力時の負担を軽減できる印刷システムを提供する。【解決手段】印刷システム１は、ロール紙プリンター２とホスト装置３を有する。ロール紙プリンター２はロール紙の紙幅を検出するためのガイド板位置検出器１９と、ガイド板位置検出器１９からの出力に基づいて紙幅を取得する紙幅情報取得部４３と、ロール紙の紙幅をロール紙情報としてホスト装置に送信する送信部４６と、を備える。ホスト装置は印刷設定情報の入力を受け付ける印刷設定画面を表示する印刷設定画面表示部５７を有する。印刷設定画面表示部はロール紙プリンターからのロール紙情報に基づいて印刷設定データベース５６を参照して、ロール紙情報に対応付けられた印刷設定情報を印刷設定画面に表示する。【選択図】図２
2016181206.tif 000002
【特許請求の範囲】
【請求項１】
ロール紙から繰り出される長尺状の記録紙に印刷を行うロール紙プリンターと当該ロール紙プリンターに接続されたホスト装置とを有する印刷システムにおいて、
前記ロール紙プリンターは、検出器と、前記検出器からの出力に基づいて前記ロール紙のロール紙情報を取得するロール紙情報取得部と、前記ロール紙情報を前記ホスト装置に送信する送信部と、を備え、
前記ホスト装置は、前記記録紙に印刷を行うための印刷設定情報の入力を受け付ける印刷設定画面を表示する印刷設定画面表示部と、前記ロール紙情報と前記印刷設定情報とを関連付けて記憶保持する記憶保持部と、を備え、
前記印刷設定画面表示部は、前記印刷設定画面を表示する際に、前記ロール紙プリンターからの前記ロール紙情報に基づいて前記記憶保持部を参照して当該ロール紙情報に対応付けられた印刷設定情報を前記印刷設定画面に表示することを特徴とする印刷システム。
【請求項２】
請求項１において、
前記ホスト装置は、前記印刷設定画面表示部が前記記憶保持部を参照したときに前記ロール紙情報に対応付けられた印刷設定情報がない場合に、前記印刷設定画面を介して入力された印刷設定情報を当該ロール紙情報と関連付けて前記記憶保持部に記憶保持させる設定記憶部を備えることを特徴とする印刷システム。
【請求項３】
請求項１または２において、
前記検出器は、前記ロール紙に紙幅方向から当接するガイド板の位置を検出し、
前記ロール紙情報取得部は、前記検出器からの出力に基づいて前記ロール紙の紙幅を取得して前記ロール紙情報とすることを特徴とする印刷システム。
【請求項４】
請求項１または２において、
前記ロール紙プリンターは、印刷ヘッドと、前記印刷ヘッドおよび前記検出器を経由して前記記録紙を搬送する搬送機構と、を備え、
前記記録紙は、長尺状の台紙に一定間隔でラベルが剥離可能に貼り付けられたラベル用紙であり、
前記検出器は、前記記録紙が搬送されているときに各ラベルの端を検出し、
前記ロール紙情報取得部は、前記検出器からの出力および前記搬送機構による前記記録紙の搬送距離に基づいてラベル間隔を取得して前記ロール紙情報とすることを特徴とする印刷システム。
【請求項５】
請求項１または２において、
前記ロール紙プリンターは、印刷ヘッドと、前記印刷ヘッドおよび前記検出器を経由して前記記録紙を搬送する搬送機構と、を備え、
前記記録紙には、一定間隔でブラックマークが設けられており、
前記検出器は、前記記録紙が搬送されているときに前記ブラックマークを検出し、
前記ロール紙情報取得部は、前記検出器からの出力および前記搬送機構による前記記録紙の搬送距離に基づいて前記ブラックマークの間隔を取得して前記ロール紙情報とすることを特徴とする印刷システム。
【請求項６】
請求項２において、
前記ホスト装置で動作するプリンタードライバーを有し、
前記プリンタードライバーは、前記ホスト装置を、前記印刷設定画面表示部、前記記憶保持部、および、前記設定記憶部として機能させることを特徴とする印刷システム。
【請求項７】
ロール紙プリンターを当該ロール紙プリンターに接続されたホスト装置から駆動制御してロール紙から繰り出される長尺状の記録紙に印刷を行う印刷システムの印刷設定方法において、
前記ロール紙プリンターにおいて、検出器からの出力に基づいて前記ロール紙のロール紙情報を取得して前記ホスト装置に送信し、
前記ホスト装置において、前記記録紙に印刷を行うための印刷設定情報の入力を受け付ける印刷設定画面を表示する際に、前記ロール紙プリンターからの前記ロール紙情報に基づいて当該ロール紙情報と前記印刷設定情報とを関連付けて記憶保持した記憶保持部を参照し、前記ロール紙情報に対応付けられた印刷設定情報を前記印刷設定画面に表示することを特徴とする印刷システムの印刷設定方法。
【請求項８】
請求項７において、
前記ホスト装置において、前記記憶保持部を参照したときに前記ロール紙プリンターからの前記ロール紙情報に対応付けられた印刷設定情報がない場合に、前記印刷設定画面を介して入力された印刷設定情報を前記ロール紙情報と関連付けて前記記憶保持部に記憶保持することを特徴とする印刷システムの印刷設定方法。
【発明の詳細な説明】
【技術分野】
【０００１】
本発明は、ロール紙プリンターとロール紙プリンターに接続されたホスト装置を有する印刷システムおよびその印刷設定方法に関する。
【背景技術】
【０００２】
ロール紙プリンターのロール紙を紙幅などが異なる他の種類のロール紙に交換した場合には、ホスト装置の側で印刷設定を変更する必要がある。この場合、オペレーターは、ホスト装置でロール紙プリンターを駆動制御するプリンタードライバーを動作させ、ホスト装置のディスプレイに印刷設定画面を表示する。そして、オペレーターは、交換したロール紙に対応する新たな印刷設定情報を印刷設定画面に入力する。
【０００３】
特許文献１の印刷システムでは、ロール紙が紙幅などのロール紙情報を記憶したＩＣタグを保持している。ロール紙が交換された場合には、ロール紙プリンターはＩＣタグからロール紙情報を読み取り、読み取ったロール紙情報と交換前のロール紙のロール紙情報を比較する。そして、ロール紙プリンターは、これらのロール紙情報が異なっている場合に、読み取ったロール紙情報をホスト装置に送信する。ロール紙情報を受け取ったホスト装置は、ロール紙情報に基づいて印刷設定画面を表示する。印刷設定画面にはロール紙プリンターからのロール紙情報が入力されているので、オペレーターが新たな印刷設定情報を印刷設定画面に入力する際の負担が軽減される。
【先行技術文献】
【特許文献】
【０００４】
【特許文献１】特開２０１０−２８４８１９号公報
【発明の概要】
【発明が解決しようとする課題】
【０００５】
特許文献１では、オペレーターが印刷設定情報を入力する際の負担を軽減するために、ＩＣタグなどを利用して、ロール紙にロール紙情報を保持させなければならない。この場合、ロール紙にロール紙情報を保持させる分だけ、ロール紙にかかるコストが増加してしまうという問題がある。
【０００６】
本発明の課題は、このような点に鑑みて、ロール紙にロール紙情報を保持させずに、オペレーターによる印刷設定情報の入力時の負担を軽減できる印刷システムおよび印刷システムの印刷設定方法を提供することにある。
【課題を解決するための手段】
【０００７】
上記の課題を解決するために、本発明は、ロール紙から繰り出される長尺状の記録紙に印刷を行うロール紙プリンターと当該ロール紙プリンターに接続されたホスト装置とを有する印刷システムにおいて、前記ロール紙プリンターは、検出器と、前記検出器からの出力に基づいて前記ロール紙のロール紙情報を取得するロール紙情報取得部と、前記ロール紙情報を前記ホスト装置に送信する送信部と、を備え、前記ホスト装置は、前記記録紙に印刷を行うための印刷設定情報の入力を受け付ける印刷設定画面を表示する印刷設定画面表示部と、前記ロール紙情報と前記印刷設定情報とを関連付けて記憶保持する記憶保持部と、を備え、前記印刷設定画面表示部は、前記印刷設定画面を表示する際に、前記ロール紙プリンターからの前記ロール紙情報に基づいて前記記憶保持部を参照して当該ロール紙情報に対応付けられた印刷設定情報を前記印刷設定画面に表示することを特徴とする。
【０００８】
本発明では、ホスト装置において印刷設定画面が表示される際には、ロール紙プリンターからのロール紙情報に対応付けられた印刷設定情報が表示される。従って、オペレーターによる印刷設定情報の入力時の負担を軽減できる。また、ロール紙情報はロール紙プリンターの検出器からの出力に基づいて取得されるものなので、ロール紙にロール紙情報を保持させる必要がない。従って、消耗品であるロール紙のコストが増加することがない。
【０００９】
本発明において、前記ホスト装置は、前記印刷設定画面表示部が前記記憶保持部を参照したときに前記ロール紙情報に対応付けられた印刷設定情報がない場合に、前記印刷設定画面を介して入力された印刷設定情報を当該ロール紙情報と関連付けて前記記憶保持部に記憶保持させる設定記憶部を備えることが望ましい。このようにすれば、今までに使用経験のない新たな種類のロール紙がロール紙プリンターに装填されたときにオペレーターが印刷設定画面を介して印刷設定情報を入力すると、その印刷設定情報がロール紙プリンターからのロール紙情報と関連付けられて記憶保持部に記憶保持される。従って、次に、このロール紙がロール紙プリンターに装填された後に印刷設定画面が表示されると、印刷設定画面には当該ロール紙のロール紙情報に対応付けられた印刷設定情報が表示される。よって、オペレーターによる印刷設定情報の入力時の負担を軽減できる。
【００１０】
本発明において、前記検出器は、前記ロール紙に紙幅方向から当接するガイド板の位置を検出し、前記ロール紙情報取得部は、前記検出器からの出力に基づいて前記ロール紙の紙幅を取得して前記ロール紙情報とするものとすることができる。このようにすれば、印刷設定画面には、ロール紙の紙幅に対応付けられた印刷設定情報を表示できる。
【００１１】
本発明において、前記ロール紙プリンターは、印刷ヘッドと、前記印刷ヘッドおよび前記検出器を経由して前記記録紙を搬送する搬送機構と、を備え、前記記録紙は、長尺状の台紙に一定間隔でラベルが剥離可能に貼り付けられたラベル用紙であり、前記検出器は、前記記録紙が搬送されているときに各ラベルの端を検出し、前記ロール紙情報取得部は、前記検出器からの出力および前記搬送機構による前記記録紙の搬送距離に基づいてラベル間隔を取得して前記ロール紙情報とすることができる。このようにすれば、記録紙がラベル用紙の場合に、印刷設定画面には、ラベルの間隔に対応付けられた印刷設定情報を表示できる。
【００１２】
本発明において、前記ロール紙プリンターは、印刷ヘッドと、前記印刷ヘッドおよび前記検出器を経由して前記記録紙を搬送する搬送機構と、を備え、前記記録紙には、一定間隔でブラックマークが設けられており、前記検出器は、前記記録紙が搬送されているときに前記ブラックマークを検出し、前記ロール紙情報取得部は、前記検出器からの出力および前記搬送機構による前記記録紙の搬送距離に基づいて前記ブラックマークの間隔を取得して前記ロール紙情報とするものとすることができる。このようにすれば、印刷設定画面には、ブラックマークの間隔に対応付けられた印刷設定情報を表示できる。
【００１３】
本発明において、ホスト装置で動作するプリンタードライバーによってロール紙プリンターを駆動制御するためには、前記ホスト装置で動作するプリンタードライバーを有し、前記プリンタードライバーは、前記ホスト装置を、前記印刷設定画面表示部、前記記憶保持部、および、前記設定記憶部として機能させるものとすることができる。
【００１４】
次に、本発明は、ロール紙プリンターを当該ロール紙プリンターに接続されたホスト装置から駆動制御してロール紙から繰り出される長尺状の記録紙に印刷を行う印刷システムの印刷設定方法において、前記ロール紙プリンターにおいて、検出器からの出力に基づいて前記ロール紙のロール紙情報を取得して前記ホスト装置に送信し、前記ホスト装置において、前記記録紙に印刷を行うための印刷設定情報の入力を受け付ける印刷設定画面を表示する際に、前記ロール紙プリンターからの前記ロール紙情報に基づいて当該ロール紙情報と前記印刷設定情報とを関連付けて記憶保持した記憶保持部を参照し、前記ロール紙情報に対応付けられた印刷設定情報を前記印刷設定画面に表示することを特徴とする。
【００１５】
本発明によれば、ホスト装置において印刷設定画面が表示される際には、ロール紙プリンターからのロール紙情報に対応付けられた印刷設定情報が表示される。従って、オペレーターによる印刷設定情報の入力時の負担を軽減できる。また、ロール紙情報はロール紙プリンターの検出器からの出力に基づいて取得されたものなので、ロール紙にロール紙情報を保持させる必要がない。従って、消耗品であるロール紙のコストが増加することがない。
【００１６】
本発明では、前記ホスト装置において、前記記憶保持部を参照したときに前記ロール紙プリンターからの前記ロール紙情報に対応付けられた印刷設定情報がない場合に、前記印刷設定画面を介して入力された印刷設定情報を前記ロール紙情報と関連付けて前記記憶保持部に記憶保持することが望ましい。このようにすれば、今までに使用経験のない新たな種類のロール紙がロール紙プリンターに装填されたときにオペレーターが印刷設定画面を介して印刷設定情報を入力すると、その印刷設定情報がロール紙プリンターからのロール紙情報と関連付けられて記憶保持部に記憶保持される。従って、次に、このロール紙がロール紙プリンターに装填された後に印刷設定画面が表示されると、印刷設定画面には当該ロール紙のロール紙情報に対応付けられた印刷設定情報が表示される。よって、オペレーターによる印刷設定情報の入力時の負担を軽減できる。
【図面の簡単な説明】
【００１７】
【図１】本発明を適用した印刷システムの概略システム構成図である。
【図２】図１の印刷システムの制御系の概略ブロック図である。
【図３】ホスト装置のディスプレイに表示される第１印刷設定画面である。
【図４】ホスト装置のディスプレイに表示される第２印刷設定画面である。
【図５】印刷設定動作のフローチャートである。
【発明を実施するための形態】
【００１８】
以下に、図面を参照して、本発明を適用した印刷システムを説明する。
【００１９】
（全体構成）
図１は本発明を適用した印刷システムの説明図である。本例の印刷システム１は、ロール紙プリンター２と、ロール紙プリンター２に通信可能に接続されたホスト装置３を有する。本例のロール紙プリンター２は印刷ヘッド５としてインクジェットヘッドを搭載するインクジェットプリンターである。
【００２０】
図１に示すように、ロール紙プリンター２は、筐体６の前面に排紙口７を備え、筐体６内にロール紙１００を収納するロール紙収納部８を備える。筐体６の内部にはロール紙収納部８から印刷ヘッド５による印刷位置Ａを経由して排紙口７に延びる紙搬送路９が形成されている。また、ロール紙プリンター２は、ロール紙１００から繰り出される長尺状の記録紙１０１を紙搬送路９に沿って搬送する搬送機構１０と、オートカッター１１と、プリンター制御部１２を有する。搬送機構１０は、記録紙１０１の搬送方向Ｄで印刷ヘッド５の上流側に配置された搬送ローラー１５と、搬送ローラー１５を駆動する搬送モーター１６を備える。オートカッター１１は紙搬送路９における排紙口７の近傍に配置されている。プリンター制御部１２は、印刷ヘッド５、搬送モーター１６およびオートカッター１１を駆動する。
【００２１】
ロール紙収納部８には、ロール紙１００の紙幅Ｗを取得するための紙幅検出器（検出器）１７が配置されている。紙幅検出器１７は、ロール紙収納部８に装填されたロール紙１００の中心軸線方向に移動して当該ロール紙１００の紙幅Ｗ方向の端面に当接可能なガイド板１８と、ロール紙１００に当接した状態のガイド板１８の位置を検出するガイド板位置検出器１９を備える。
【００２２】
紙搬送路９における搬送ローラー１５の上流側にはラベル検出器（検出器）２１が配置されている。ラベル検出器２１は、記録紙１０１が、長尺状の台紙にラベルＬが一定間隔で剥離可能に貼り付けられているラベル用紙である場合に、搬送方向Ｄで隣り合うラベルＬの間隔を取得するために用いられる。ラベル検出器２１は、透過型フォトセンサーであり、搬送される記録紙１０１に照射した検査光の透過率を利用して、搬送方向ＤにおけるラベルＬの前端および後端を検出する。
【００２３】
また、紙搬送路９における搬送ローラー１５の上流側にはブラックマーク検出器（検出器）２３が配置されている。ブラックマーク検出器２３は、記録紙１０１の裏面などに一定間隔でブラックマークＢＭが付与されている場合に、搬送方向Ｄで隣り合うブラックマークＢＭの間隔を取得するために用いられる。ブラックマーク検出器２３は、反射型フォトセンサーであり、搬送される記録紙１０１に照射した検査光の反射率の変動を利用して、ブラックマークＢＭを検出する。
【００２４】
ホスト装置３は、コンピューター２５と、コンピューター２５に接続されたディスプレイ２６および入力装置２７を備える。入力装置２７はキーボード２８およびマウス２９である。コンピューター２５では、オペレーティングシステム（ＯＳ）３１、アプリケーションソフトウエア３２、および、プリンタードライバー３３が動作する。
【００２５】
（制御系）
図２は印刷システム１の制御系の概略ブロック図である。ロール紙プリンター２の制御系は、ＣＰＵを搭載するプリンター制御部１２を中心に構成される。プリンター制御部１２の入力側には通信部４１、ガイド板位置検出器１９、ラベル検出器２１、ブラックマーク検出器２３が接続されている。通信部４１はホスト装置３とロール紙プリンター２を通信可能に接続する。プリンター制御部１２の出力側には、印刷ヘッド５、オートカッター１１および搬送モーター１６が接続されている。
【００２６】
プリンター制御部１２は、印刷制御部４２、紙幅情報取得部（ロール紙情報取得部）４３、ラベル情取得部（ロール紙情報取得部）４４、ブラックマーク情報取得部（ロール紙情報取得部）４５、および、送信部４６を備える。
【００２７】
印刷制御部４２は、通信部４１を介してホスト装置３から印刷データが供給されると印刷処理動作を行う。印刷処理動作では、印刷制御部４２は搬送モーター１６を駆動して記録紙１０１を紙搬送路９に沿って搬送する。また、印刷制御部４２は印刷ヘッド５を駆動して印刷位置Ａを搬送される記録紙１０１に印刷を施す。さらに、印刷制御部４２は、印刷データに含まれる制御命令に基づいてオートカッター１１を駆動して印刷が施された記録紙１０１を切断する。
【００２８】
紙幅情報取得部４３は、ロール紙収納部８に装填されたロール紙１００の紙幅Ｗを検出する紙幅検出動作を行う。紙幅検出動作では、紙幅情報取得部４３は、ガイド板位置検出器１９の出力に基づいてロール紙１００の紙幅Ｗを取得する。すなわち、ロール紙１００がロール紙収納部８に装填された場合には、ガイド板１８はオペレーターによってロール紙１００の幅方向の端面に当接する当接位置に配置される。従って、紙幅情報取得部４３は、ガイド板位置検出器１９により検出されたガイド板１８の位置情報に基づいてロール紙１００の紙幅Ｗを取得できる。紙幅検出動作はガイド板１８が移動した場合などに行われる。すなわち、紙幅検出動作は、新たなロール紙１００がロール紙収納部８に装填されて、オペレーターが新たなロール紙１００に合わせてガイド板１８を移動させた場合などに行われる。
【００２９】
ラベル情取得部４４は、ラベルＬの長さとラベルＬの間隔を取得するラベル情報取得動作を行う。ラベル情報取得動作では、ラベル情取得部４４は、搬送モーター１６を駆動して記録紙１０１を搬送する。また、ラベル情取得部４４は、記録紙１０１が搬送されているときにラベル検出器２１が出力するラベルＬの端の検出情報と、搬送機構１０によるラベルＬの搬送距離に基づいて、搬送方向ＤにおけるラベルＬの長さを取得する。すなわち、ラベル情取得部４４は、ラベル検出器２１から出力される１枚のラベルＬの前端の検出情報と後端の検出情報と、これらの検出情報が出力される間の搬送機構１０による記録紙１０１の搬送距離に基づいてラベルＬの長さを取得する。また、ラベル情取得部４４は、記録紙１０１が搬送されているときにラベル検出器２１が出力するラベルＬの端の検出情報と、搬送機構１０によるラベルＬの搬送距離に基づいて、搬送方向Ｄにおけるラベル間隔を取得する。すなわち、ラベル情取得部４４は、２枚のラベルＬがラベル検出器２１を通過する際にラベル検出器２１から出力される前側のラベルＬの後端の検出情報および後側のラベルＬの前端の検出情報、並びに、これらの検出情報が出力される間の搬送機構１０による記録紙１０１の搬送距離に基づいてラベル間隔を取得する。ラベル情報取得動作は、紙幅検出動作が行われた後などに行われる。
【００３０】
ブラックマーク情報取得部４５は、ブラックマークＢＭの間隔を取得するブラックマーク情報取得動作を行う。ブラックマーク情報取得動作では、ブラックマーク情報取得部４５は、搬送モーター１６を駆動して記録紙１０１を搬送する。また、ブラックマーク情報取得部４５は、ブラックマーク検出器２３から出力される２つのブラックマークＢＭの検出情報と、これらの検出情報が出力される間の搬送機構１０による記録紙１０１の搬送距離に基づいてブラックマークＢＭの間隔を取得する。ブラックマーク情報取得動作は紙幅検出動作が行われた後などに行われる。
【００３１】
送信部４６は、ホスト装置３で動作するプリンタードライバー３３から問合せがあると、紙幅情報取得部４３が取得している紙幅Ｗ、ラベル情取得部４４が取得しているラベルＬの長さ、ラベルＬの間隔、ブラックマーク情報取得部４５が取得しているブラックマークＢＭの間隔を、ロール紙情報としてホスト装置３に送信する。なお、ラベルＬの長さ、ラベルＬの間隔、或いは、ブラックマークＢＭの間隔は、記録紙１０１の種類によっては取得されていない場合がある。このような場合に、送信部４６は、取得されている情報のみをロール紙情報としてホスト装置３に送信する。
【００３２】
次に、ホスト装置３のコンピューター２５は、ＣＰＵ、ＲＯＭ、ＲＡＭを搭載する制御部５１を備える。制御部５１は、オペレーティングシステム３１（ＯＳ）の動作によりＯＳ動作部５２として機能する。また、制御部５１はアプリケーションソフトウエア３２の動作によりアプリケーション動作部５３として機能する。さらに、制御部５１は、プリンタードライバー３３の動作によりプリンタードライバー動作部５４として機能する。
【００３３】
アプリケーション動作部５３は、印刷用のアプリケーションデータを生成し、このアプリケーションデータをプリンタードライバー３３に出力する。プリンタードライバー動作部５４は、ＯＳ動作部５２を介してアプリケーション動作部５３からアプリケーションデータを取得する。アプリケーションデータを取得したプリンタードライバー動作部５４は、印刷設定に基づいてアプリケーションデータから印刷データを生成し、生成した印刷データをロール紙プリンター２に送信する。
【００３４】
ここで、プリンタードライバー動作部５４は印刷設定を行う印刷設定部５５を備える。印刷設定部５５は印刷設定データベース（記憶保持部）５６と、印刷設定画面表示部５７と、設定記憶部５８を備える。
【００３５】
印刷設定データベース５６は、ロール紙情報と、記録紙１０１に印刷を行うための印刷設定情報と、印刷設定情報に基づいて印刷が行われた日付などの使用履歴情報を関連付けて記憶保持したものである。ロール紙情報には、紙幅Ｗ、ラベルＬの長さ、ラベルＬの間隔、ブラックマークＢＭの間隔などが含まれる。印刷設定情報には、用紙種類、印刷品質、カラー印刷かモノクロ印刷か、記録紙１０１を切断するか否か、印刷の位置合わせにブラックマークＢＭを用いるか否か、などの情報が含まれる。用紙種類には、記録紙１０１がラベル用紙か否か、普通紙か、光沢紙か、などの情報が含まれる。
【００３６】
印刷設定画面表示部５７は、印刷設定情報の入力を受け付ける印刷設定画面６１、６２を表示する。また、印刷設定画面表示部５７は、印刷設定画面６１、６２を介して入力された印刷設定情報を印刷設定として記憶保持する。
【００３７】
より具体的には、印刷設定画面表示部５７は、オペレーターにより印刷設定画面６１を表示するための操作が行われたときに、ロール紙プリンター２に当該ロール紙プリンター２に装填されているロール紙情報を問い合わせる。また、印刷設定画面表示部５７は、問合せに対してロール紙プリンター２から返信されたロール紙情報に基づいて印刷設定データベース５６を参照する。そして、印刷設定画面表示部５７は、ロール紙プリンター２からのロール紙情報に対応付けられた印刷設定情報がある場合には、この印刷設定情報を第１印刷設定画面６１に表示する。
【００３８】
図３は、ロール紙プリンター２からのロール紙情報に対応付けられた印刷設定情報を表示した第１印刷設定画面６１の例である。図３に示すように、第１印刷設定画面６１には、ロール紙情報に基づいて印刷設定データベース５６から抽出された印刷設定情報の一覧６５が使用履歴情報と共に表示される。また、第１印刷設定画面６１には、印刷設定情報の一覧６５の中で選択されている印刷設定情報の詳細６６が表示される。ここで、オペレーターはマウス２９などによって印刷設定情報の一覧６５から使用する印刷設定情報を選択して設定ボタン６７をクリックすると、印刷設定部５５は選択された印刷設定情報を印刷に用いる印刷設定として記憶保持する。
【００３９】
ここで、印刷設定画面表示部５７は、ロール紙プリンター２から返信されたロール紙情報に基づいて印刷設定データベース５６を参照したときに、ロール紙プリンター２からのロール紙情報に対応付けられた印刷設定情報を抽出できなかった場合には、第１印刷設定画面６１とは別の第２印刷設定画面６２を表示して、印刷設定情報の入力を受け付ける。また、印刷設定画面表示部５７は、第１印刷設定画面６１の印刷設定情報の一覧６５にオペレーターが使用したい印刷設定情報がなく、オペレーターがキャンセルボタン６８をクリックした場合にも第２印刷設定画面６２を表示して、印刷設定情報の入力を受け付ける。図４は印刷設定情報の入力を受け付ける第２印刷設定画面６２の例である。
【００４０】
図４に示すように、第２印刷設定画面６２には、用紙種類を選択するためのプルダウンメニュー７１や印刷品質を選択するための操作部７２が表示される。また、ラベルＬのサイズを選択するためのプルダウンメニュー７３、記録紙１０１を切断するか否かを設定するための入力部７４などが表示される。ここで、オペレーターが各情報を入力した後にＯＫボタン７５をクリックすると、印刷設定部５５は入力された印刷設定情報を印刷に用いる印刷設定として記憶保持する。
【００４１】
設定記憶部５８は、第２印刷設定画面６２を介して入力された印刷設定情報を印刷設定データベース５６に記憶保持させる。より具体的には、設定記憶部５８は、第２印刷設定画面６２を介して入力された印刷設定情報が印刷設定として印刷設定部５５に記憶保持された後に当該印刷設定に基づく印刷データの印刷が行われると、ロール紙プリンター２に当該ロール紙プリンター２に装填されているロール紙情報を問い合わせる。そして、設定記憶部５８は、問合せに対してロール紙プリンター２から返信されたロール紙情報と、第２印刷設定画面６２を介して入力された印刷設定情報（印刷設定画面表示部５７が印刷設定として記憶保持している印刷設定情報）と、印刷が実行された日時などの使用履歴情報とを関連付けて印刷設定データベース５６に記憶保持させる。
【００４２】
（印刷設定動作）
図５は印刷システムの印刷設定動作のフローチャートである。以下の印刷設定動作の説明では、アプリケーションデータの印刷を行うためにロール紙プリンター２のロール紙収納部８に新たなロール紙１００が装填されたものとする。また、ロール紙収納部８に配置されたガイド板１８がロール紙１００に当接する当接位置に移動させられたものとする。
【００４３】
ここで、オペレーターがホスト装置３のディスプレイ２６に印刷設定画面を表示させる操作を行うと、プリンタードライバー動作部５４は、ロール紙プリンター２にロール紙情報を問合せて（ステップＳＴ１）、ロール紙プリンター２からのロール紙情報の返信を待つ。
【００４４】
プリンタードライバー動作部５４がロール紙プリンター２からロール紙情報を受信すると、印刷設定画面表示部５７はロール紙情報に基づいて印刷設定データベース５６を参照する（ステップＳＴ２）。ここで、印刷設定データベース５６にロール紙情報に対応付けられた印刷設定情報がある場合には（ステップＳＴ３：Ｙｅｓ）、印刷設定画面表示部５７は取得された印刷設定情報の一覧６５が表示された第１印刷設定画面６１をディスプレイ２６に表示する（ステップＳＴ４）。
【００４５】
次に、第１印刷設定画面６１に表示された印刷設定情報の一覧６５に使用したい所望の印刷設定情報がある場合には（ステップＳＴ５：Ｙｅｓ）、オペレーターはその印刷設定情報を選択して、設定ボタン６７をクリックする。これにより、印刷設定部５５は印刷設定情報を印刷設定として記憶保持する（ステップＳＴ６）。
【００４６】
ここで、ディスプレイ２６に第１印刷設定画面６１が表示された場合には、オペレーターは印刷設定情報の一覧６５から一つの印刷設定情報を選択して設定ボタン６７をクリックするだけで印刷設定を行うことができる。よって、オペレーターによる印刷設定情報の入力の負担が軽減される。
【００４７】
その後、印刷設定部５５が記憶保持する印刷設定に基づいてアプリケーションデータから印刷データが生成される。また、生成された印刷データがロール紙プリンター２に送信される。これにより、印刷データが印刷される（ステップＳＴ７）。
【００４８】
一方、第１印刷設定画面６１に表示された印刷設定情報の一覧６５にオペレーターが使用したい印刷設定情報がない場合には（ステップＳＴ５：Ｎｏ）、オペレーターはキャンセルボタン６８をクリックする。これにより、印刷設定画面表示部５７はディスプレイ２６に第２印刷設定画面６２を表示する（ステップＳＴ８）。また、ステップＳＴ３において、印刷設定画面表示部５７が印刷設定データベース５６を参照したときにロール紙情報に対応付けられた印刷設定情報がない場合にも（ステップＳＴ３：Ｎｏ）、印刷設定画面表示部５７は第２印刷設定画面６２をディスプレイ２６に表示する（ステップＳＴ８）。
【００４９】
そして、印刷設定画面表示部５７は、第２印刷設定画面６２を介して、印刷設定情報が入力されるのを待つ。ここで、オペレーターにより印刷設定情報が入力され、ＯＫボタン７５がクリックされると、入力された印刷設定情報が印刷設定として印刷設定部５５に記憶保持される（ステップＳＴ９）。
【００５０】
その後、印刷設定部５５が記憶保持する印刷設定に基づいてアプリケーションデータから印刷データが生成される。また、生成された印刷データがロール紙プリンター２に送信される。これにより、印刷データが印刷される（ステップＳＴ１０）。
【００５１】
ここで、第２印刷設定画面６２を介して入力された印刷設定情報が印刷設定として印刷設定部５５に記憶保持された場合には、印刷データの印刷が行われると設定記憶部５８がロール紙プリンター２にロール紙情報を問合せる（ステップＳＴ１１）。そして、設定記憶部５８は、ロール紙プリンター２から返信されたロール紙情報と、第２印刷設定画面６２を介して入力された印刷設定情報と、印刷日などの使用履歴情報を対応付けて、印刷設定データベース５６に記憶保持する（ステップＳＴ１２）。
【００５２】
本例では、第２印刷設定画面６２を介して入力された印刷設定情報が印刷設定として印刷設定部５５に記憶保持された場合には、ロール紙プリンター２から返信されたロール紙情報と入力された印刷設定情報が関連付けられて印刷設定データベース５６に記憶保持される。従って、次に、同様のロール紙１００がロール紙プリンター２に装填されたときにオペレーターが印刷設定画面を表示する操作を行うと、ディスプレイ２６には第１印刷設定画面６１が表示され、印刷設定情報の一覧６５に、第２印刷設定画面６２を介して入力された印刷設定情報が含まれる。この結果、オペレーターは印刷設定情報の一覧６５から一つの印刷設定情報を選択して設定ボタン６７をクリックするだけで印刷設定を行うことができる。よって、オペレーターによる印刷設定情報の入力の負担が軽減される。
【００５３】
なお、上記の例では、印刷設定画面表示部５７が表示する第１印刷設定画面６１と第２印刷設定画面６２は別の画面であるが、単一の画面としてもよい。すなわち、一つの印刷設定画面に、印刷設定情報の一覧６５と用紙種類を選択するためのプルダウンメニュー７１などが設けられていてもよい。
【符号の説明】
【００５４】
１・・印刷システム、２・・ロール紙プリンター、３・・ホスト装置、５・・印刷ヘッド、６・・筐体、７・・排紙口、８・・ロール紙収納部、９・・紙搬送路、１０・・搬送機構、１１・・オートカッター、１２・・プリンター制御部、１５・・搬送ローラー、１６・・搬送モーター、１７・・紙幅検出器（検出器）、１８・・ガイド板、１９・・ガイド板位置検出器（検出器）、２１・・ラベル検出器（検出器）、２３・・ブラックマーク検出器（検出器）、２５・・コンピューター、２６・・ディスプレイ、２７・・入力装置、２８・・キーボード、２９・・マウス、３１・・オペレーティングシステム、３２・・アプリケーションソフトウエア、３３・・プリンタードライバー、４１・・通信部、４２・・印刷制御部、４３・・紙幅情報取得部、４４・・ラベル情取得部、４５・・ブラックマーク情報取得部、４６・・送信部、５１・・制御部、５２・・ＯＳ動作部、５３・・アプリケーション動作部、５４・・プリンタードライバー動作部、５５・・印刷設定部、５６・・印刷設定データベース（記憶保持部）、５７・・印刷設定画面表示部、５８・・設定記憶部、６１・・第１印刷設定画面、６２・・第２印刷設定画面、６５・・印刷設定情報の一覧、６６・・印刷設定情報の詳細、６７・・設定ボタン、６８・・キャンセルボタン、７１・・プルダウンメニュー、７２・・操作部、７３・・プルダウンメニュー、７４・・入力部、７５・・ＯＫボタン、１００・・ロール紙、１０１・・記録紙、Ａ・・印刷位置、ＢＭ・・ブラックマーク、Ｄ・・搬送方向、Ｌ・・ラベル、Ｗ・・ロール紙の紙幅
【図１】
2016181206.tif 000003
【図２】
2016181206.tif 000004
【図５】
2016181206.tif 000005
【図３】
2016181206.tif 000006
【図４】
2016181206.tif 000007